(57)【要約】【課題】ペットの尻尾を排泄袋の外に露出して袋外側面と係合する状態として尻尾の起立動作により袋外から排泄袋を拡張するようにして排泄袋の着用時のペットストレスを可及的に軽減するとともに、ペットへの着脱が容易となり、且つ排泄袋に尻尾挿通孔も必要ないためこの孔からの袋破損の虞もないペット用おむつ構造を提供するものである。【解決手段】尻部を包むおむつ本体の後面シートに排泄用窓と尻尾挿貫用の孔を開け、排泄用窓の外方周縁部には枠体を固定し、枠体には排泄袋開口縁部を内部連通状態に固定し排泄袋を枠体に連設し、枠体開口上縁には開閉自在の弁体上縁を連設し、弁体と当接する排泄袋の外周面上に、ペットの尻尾、排泄袋、及び弁体を一体に連結する連結手段と、よりなることとした。【選択図】図１
2022000012.tif 000002
【特許請求の範囲】
【請求項１】
尻部を包むおむつ本体の後面シートに排泄用窓と尻尾挿貫用の孔を開け、排泄用窓の外方周縁部には肛門部が枠体内下端縁近傍に位置するように枠体を固定し、
枠体には排泄袋開口縁部を内部連通状態に固定し排泄袋を枠体に連設し、枠体開口上縁には開閉自在の弁体上縁を折曲自在に連設し、
弁体と当接する排泄袋の外周面上に、尻尾挿貫用の孔から抜き出したペットの尻尾、排泄袋、及び弁体を一体に連結する連結手段を備えることを特徴とするペット用おむつ構造。
【請求項２】
尻部を包むおむつ本体の後面シートに排泄用窓と尻尾挿貫用の孔を開け、排泄用窓の外方周縁部には肛門部が枠体内に位置するように枠体を固定し、
枠体には排泄袋開口縁部を内部連通状態に固定し排泄袋を枠体に連設し、枠体外上端縁には屈曲自在の弁体下縁を折曲自在に連設し、
弁体は枠体を固定した排泄袋の内側面とは対面に位置する外側面に密着当接させると共に、排泄袋内側面の上下の幅員を排泄袋外側面の上下の幅員よりも長く構成し、弁体が排泄袋外側面を上方に持上げることによって枠体と排泄袋の外側面との間に一定間隔のスペースを保持可能に構成したことを特徴とするペット用おむつ構造。
【発明の詳細な説明】
【技術分野】
【０００１】
この発明は、ペットの尻部に容易に装着して使用ができ、排便が装着袋から遺漏することなく確実に排便の収納ができるとともに、耐久性に優れたペット用おむつ構造に関する。
【背景技術】
【０００２】
従来のペット用おむつは、おむつの内側で受け止められた排泄物がペットの体に付着するおそれがあり非衛生的であった。そのためにかかる課題を解決するために出願人は新たなペット用おむつを考案し出願して特許を取得した（特許文献１）。
【０００３】
この改良型のペット用おむつは、尻部を包むおむつ本体の後面シートに排泄用窓を開け、排泄用窓の外方周縁部に枠体を固定し、枠体に排泄袋開口縁部を連通して排泄袋内部と排泄用窓とを連通させると共に、排泄用窓上縁には開閉自在の弁体上縁を連設し弁体はやや短くして弁体下方に排泄用窓下部に位置する拡大窓を形成した構造とし、排便は弁体を押し開けて排泄袋内に排出収納し、滴下する排便は下方の拡張窓から排泄袋内に自然落下し全排便が十分に収納されるように構成されている。
【０００４】
また、かかる改良型のペット用おむつは、弁体の下過半部には枠体の横幅より幅広の袋開拡用補助シートを弁体下方からはみ出して張設し、枠体と弁体下縁部との間には排泄用窓下部に位置する拡大窓を形成すると共に、弁体先端部から袋開拡用補助シートにわたって尻尾挿貫用の切込みを形成して構成されている。
【先行技術文献】
【特許文献】
【０００５】
【特許文献１】特許第６２３２６８８号公報
【発明の概要】
【発明が解決しようとする課題】
【０００６】
ところが、かかる改良型のペット用おむつの尻尾挿貫用の切込みが袋と弁体との境に形成しているためにペットの尻尾の大きさにより十分に尻尾を引き出すことができない場合が生起しペットのストレスとなり、切込みが大きければ、袋が尻尾からはずれてずれてしまうおそれがあり排泄袋に十分な排便収納ができないおそれがあった。
【０００７】
ペットの排便時の習性は必ず尻尾が起立するものであり、従来の排便装置では尻尾の起立動作は排泄袋を内側から持ち上げて袋内部を拡張することになり、どうしても袋内部から尻尾を介して袋を拡張することになるために尻尾に負荷がかかりペットのストレスの一因となり、かつ尻尾を切込みを介して排泄袋の内部から外に引き出す作業をしなければならず、この作業自体がまたストレスを生起するおそれがあり、他方かかる作業が煩雑で飼い主にとってはこれがまた違う意味でのストレスを生起していた。
【０００８】
本発明では、基本的にペットの尻尾を排泄袋の外に露出して袋外側面と係合する状態として尻尾の起立動作により袋外から排泄袋を拡張するようにして排泄袋の着用時のペットストレスを可及的に軽減するとともに、ペットへの着脱が容易となり、且つ排泄袋に尻尾挿通孔も必要ないためこの孔からの袋破損の虞もないペット用おむつ構造を提供するものである。
【課題を解決するための手段】
【０００９】
本発明は、尻部を包むおむつ本体の後面シートに排泄用窓と尻尾挿貫用の孔を開け、排泄用窓の外方周縁部には肛門部が枠体内下端縁近傍に位置するように枠体を固定し、枠体には排泄袋開口縁部を内部連通状態に固定し排泄袋を枠体に連設し、枠体開口上縁には開閉自在の弁体上縁を折曲自在に連設し、弁体と当接する排泄袋の外周面上に、尻尾挿貫用の孔から抜き出したペットの尻尾、排泄袋、及び弁体を一体に連結する連結手段を備えることを特徴とするペット用おむつ構造を提供する物である。
【００１０】
また、尻部を包むおむつ本体の後面シートに排泄用窓と尻尾挿貫用の孔を開け、排泄用窓の外方周縁部には肛門部が枠体内に位置するように枠体を固定し、枠体には排泄袋開口縁部を内部連通状態に固定し排泄袋を枠体に連設し、枠体外上端縁には屈曲自在の弁体下縁を折曲自在に連設し、弁体は枠体を固定した排泄袋の内側面とは対面に位置する外側面に密着当接させると共に、排泄袋内側面の上下の幅員を排泄袋外側面の上下の幅員よりも長く構成し、弁体が排泄袋外側面を上方に持上げることによって枠体と排泄袋の外側面との間に一定間隔のスペースを保持可能に構成したことを特徴とするペット用おむつ構造を提供するものでもある。
【発明の効果】
【００１１】
本発明によると、弁体を固定した排泄袋の外周面上にペットの尻尾を固定するための固定手段を設けたことにより、飼い主はペットへのおむつの着脱を容易に行うことができ、特に尻尾の脱着が袋外方で簡単な行えるためおむつの脱着作業が容易となり、ペットにも不要なストレスを与えず快適な排便作業が行える効果がある。更には、弁体が排泄後に尻尾の弛緩状態と共に枠体の排泄用窓を閉塞することになり排泄袋内の排便からの悪臭がおむつ本体内から外方に遺漏することを防止することができる効果がある。なお、弁体に消臭機能を持たせる構成とすれば排便袋からの悪臭を可及的に遮断して更に周囲の衛生環境を向上することができる。また、従来のペット用オムツのように尻尾挿貫用の切込みが排泄袋に形成されない為に排出袋の破損事故を回避できる効果がある。
【００１２】
また、尻部を包むおむつ本体の後面シートに排泄用窓と尻尾挿貫用の孔を開け、排泄用窓の外方周縁部には肛門部が枠体内に位置するように枠体を固定し、枠体には排泄袋開口縁部を内部連通状態に固定し排泄袋を枠体に連設し、枠体外上端縁には屈曲自在の弁体下縁を折曲自在に連設し、弁体は枠体を固定した排泄袋の内側面とは対面に位置する外側面に密着当接させると共に、排泄袋内側面の上下の幅員を排泄袋外側面の上下の幅員よりも長く構成し、弁体が排泄袋外側面を上方に持上げることによって枠体と排泄袋の外側面との間に一定間隔のスペースを保持可能に構成したため、次の作用効果を奏する。
【００１３】
すなわち、枠体外上端縁には屈曲自在の弁体下縁を折曲自在に連設し、弁体は枠体を固定した排泄袋の内側面とは対面に位置する外側面に密着当接させているため、ペットの尻尾の起立動作に関わらず排泄袋の内部空間を拡張する作用がある。これにより、ペットの尻尾と弁体とを係合する必要がないため、ペット用おむつ構造の着用時のペットストレスを可及的に軽減するとともに、ペットへの着脱が容易となり、且つ排泄袋に尻尾挿通孔も必要ないためこの孔からの袋破損の虞を防ぐ効果がある。
【００１４】
また、弁体は枠体を連接した排泄袋の内側面とは対面に位置する外側面に密着当接させると共に、排泄袋内側面の上下の幅員を排泄袋外側面の上下の幅員よりも長く構成することにより、排泄袋を側面視半円弧状に保持可能としている。これにより、枠体と排泄袋外側面との間には、枠体を介して投入された排泄物を排泄袋の底部に円滑に落下させるための十分なスペースを形成する作用がある。その結果、枠体と対面する排泄袋の外側面の内方を汚損させることがないため、排泄物がペットの肛門周りを汚す虞がなく、おむつ着用時の衛生環境を良好なものとする効果がある。
【図面の簡単な説明】
【００１５】
【図１】本発明にかかるペット用おむつ構造を装着した状態を示す図である。
【図２】ペット用おむつ構造の外側正面図である。
【図３】ペット用おむつ構造を分解した斜視図である。
【図４】排便装置を構成する枠体の形状例を示す図である。
【図５】排便装置の内側構造を示した斜視図である。
【図６】排便装置の外側構造を示した斜視図である。
【図７】ペット用おむつ構造着用時（排便前）を示す側面図である。
【図８】ペット用おむつ構造着用時（排便時）を示す側面図である。
【図９】袋開拡用補助シートを貼付された排泄袋を示す斜視図である。
【図１０】他の実施形態における排便装置の構成を示す斜視図である。
【図１１】他の実施形態における排便装置の構成を示す断面図である。
【図１２】他の実施形態における排便装置を備えたペット用おむつ構造の使用例を示す側面図である。
【発明を実施するための形態】
【００１６】
この発明の要部は、尻部を包むおむつ本体の後面シートに排泄用窓と尻尾挿貫用の孔を開け、排泄用窓の外方周縁部には肛門部が枠体内下端縁近傍に位置するように枠体を固定し、枠体には排泄袋開口縁部を内部連通状態に固定し排泄袋を枠体に連設し、枠体開口上縁には開閉自在の弁体上縁を折曲自在に連設し、弁体と当接する排泄袋の外周面上に、尻尾挿貫用の孔から抜き出したペットの尻尾、排泄袋、及び弁体を一体に連結する連結手段を備えることを特徴とする。
【００１７】
［ペット］
本発明者は、経験側から以下の知見を得ている。すなわち、排便時のペットは、尻尾を緊張状態で上方或いは水平方向に突き立てる習性を有していることである。本発明にかかるペット用おむつ構造は、この習性を利用したものである。本発明におけるペットとは、ヒトの飼育環境下にある尻尾を有する動物であり、例えばイヌ科やネコ科に属する動物である。本明細書では、本発明にかかるペット用おむつ構造を犬に装着させた実施例を説明する。
【００１８】
この発明の実施例を図面に基づき詳細に説明する。図１は、本発明にかかるペット用おむつ１を着用したペットＰの図を示している。図２〜図６は、本発明に係るペット用おむつ構造１の概略図を示している。また、図７と図８は、ペットＰが本発明に係るペット用おむつ構造１を装着した際、各構成要素の動きを説明する概略図を示している。
【００１９】
本発明に係るペット用おむつ構造１は、図１に示すように、おむつ本体１０と、排便装置２０と、から構成されている。おむつ本体１０は、ペットＰの後脚を通す開口を備えている。ペットＰは、この開口に脚を通しておむつ本体１０を装着する。おむつ本体１０には、ペットＰの肛門１１と対向する位置に開口（排泄用窓１４）が設けれている。この開口部と内部連通状態で排便装置２０が付設されている。以下、おむつ本体１０と排便装置２０の構造を詳説する。
【００２０】
［おむつ本体］
おむつ本体１０は、尿や便等の排泄物を捕捉することを目的として下腹部に着用するものである。おむつ本体１０は、図２に示すように、後面シート１２と、尻尾挿貫用の孔１３と、排泄用窓１４と、背中割れ部１５と、おむつ連結手段１６と、脚挿入孔１７Ｌ・１７Ｒと、より構成されている。
【００２１】
後面シート１２は、図３に示すように、ペットＰの肛門１１近傍一帯と隣接する位置に設けられている。後面シート１２は、小便を吸収する素材で構成することができる。後面シート１２の内側面には、吸水パッドのごとき尿貯留体を付設してもよい。
【００２２】
尻尾挿貫用の孔１３は、後面シート１２に形成された略円形の開孔である。オムツ本体１０を着用時のペットＰは、尻尾挿貫用の孔１３からおむつ本体１０の外側へ尻尾Ｔを抜出すことができる。これにより、おむつ内の蒸れ、及び糞尿による尻尾Ｔへの汚れを防ぐことができる。また、おむつ本体１０と肛門１１及び局部が密着する構造となる為、排便１８や排尿がおむつ本体１０から漏れることを防ぐ。
【００２３】
排泄用窓１４は、尻尾挿貫用の孔１３の下縁部に形成された略楕円形の開孔である。排泄用窓１４は、尻尾挿貫用の孔１３と一体に形成しても良く、別々に形成しても良い。排泄用窓１４の大きさは、おむつ本体１０装着時に肛門１１が開孔内に納まるように形成される。排泄用窓１４の形状は、方形・楕円形・円形・台形・ハート型など自由に選択してもよい。
【００２４】
排泄用窓１４の形状は、これに内部連通状態に連設する枠体３０の形状に関連するものであり、本発明では特に排便１８が排泄用窓１４から漏れておむつ本体１０内部に遺漏しないように構成することも重要な発明の目的としており、そのためには排泄用窓１４や枠体３０の形状は可及的に下方まで伸延状態に構成しておくことが重要であり、ペットＰの体格等により肛門１１位置が下方に降下位置しても可及的に排便１８を排泄用窓１４や枠体３０内ですくい取ることができるように構成することが重要である。
【００２５】
背中割れ部１５は、おむつ本体１０の背中側に設けられた切目である。切目は、おむつ本体の背中側部の周縁部から垂直に、尻尾挿貫用の窓１３に向けて形成されている。
【００２６】
おむつ連結手段１６は、図１に示すように、背中割れ部１５の左右両側を連結する手段であれば自由に選択できる。具体的には、面ファスナー１６ａ・ボタン・紐・テープ等から選択することができる。
【００２７】
おむつ本体１０において、背中割れ部１５とおむつ連結手段１６とを設けたことは、ペットＰへのおむつ本体１０の着用を容易にする。この結果、ペットＰへのおむつ着用時の煩雑さは、可及的に低減される。また、所定サイズのおむつ本体１０は、幅広い大きさの犬種に利用できることとなる。すなわち、おむつ本体１０が、少ない種類のサイズからなるものであっても、様々な体格のペットＰに対応することができる。
【００２８】
［排便装置］
おむつ本体１０の排泄用窓１４と隣接する位置には、外側から後述する排便装置２０を付設する。排便装置２０は、図３に示すように、基本的に枠体３０と、枠体３０に連設した弁体４０と、枠体３０の開口部に連設した排泄袋５０と、弁体４０から排泄袋５０にわたって固定された尻尾連結手段６０と、より構成されている。以下各構成について詳細に説明する。
【００２９】
［枠体］
枠体３０は、図３に示すように、排泄用窓１４と同形状の開口３１と、開口３１周縁を囲む帯状の板体３２と、尻尾当接部３３と、より構成されている。尻尾当接部３３は、枠体３０上側を形成する板体３２を切欠いて形成されている。枠体３０は、開口３１と、板体３２と、尻尾当接部３３とにより、全体として平面視で略Ｕ字の枠状に構成されている。
【００３０】
枠体３０の形状は、排泄用窓１４の形状に応じて変えても良い。例えば、図４に示すように、楕円形・円形・台形・三角形・ハート型等から選択しても良い。
【００３１】
排便装置２０は、枠体３０の板体３２を介しておむつ本体１０に付設されている。板体３２とおむつ本体１０の付設手段は、例えば、テープやノリ等の粘着剤や、天然繊維や化学繊維を用いた縫着など、一定強度を備えるものであれば自由に選択することができる。
【００３２】
板体３２の素材は、防水性や耐久性を備え、且つ柔軟で可撓性に優れた素材から選択してもよい。具体的には、板体３２の素材は、樹脂を選択することができる。仮に、防水性や耐久性が樹脂に劣る厚紙等を板体３２の素材に採用する場合には、防水性や耐久性を付与する加工を板体３２に施して使用することもできる。
【００３３】
附言すれば、枠体３０は排泄用窓１４の形状を保持すると共に、排泄用窓１４周縁の強度をより高める機能を発揮するものであれば自由に選択できる。すなわち、排泄用窓１４の周縁に配された粘着テープや接着のり等の接着剤が同機能を発揮するならば当然に枠体３０の概念として含まれる。
【００３４】
［弁体］
弁体４０は、図３及び図４に示すように、枠体３０の上縁部を構成する板体３２の下縁部から延設される板状体である。弁体４０は、折り曲げ部４１と、弁体本体４２と、より構成されている。
【００３５】
折り曲げ部４１は、弁体４０の基端部に設けられている。弁体４０は、折り曲げ部４１を軸として傾動する。これにより、弁体本体４２は、枠体３０の開口３１を自在に開閉可能となる。
【００３６】
弁体本体４２は、枠体３０の開口３１を封止できる大きさと形状の板状体である。具体的には、弁体本体４２の周縁部は、枠体３０の開口３１周縁部と一致するように形成される。
【００３７】
弁体本体４２の外側面は、後述する排泄袋開口５３を介して排泄袋５０の内壁（排泄袋外側面５２側）に固定されている。また、弁体本体４２の形状は、図４に示すように、枠体３０の形状に応じて適宜変えることができる。
【００３８】
弁体４０には、消臭機能や抗菌機能を備えた加工を施すこともできる。具体的には、活性炭などの多孔質物質による物理的消臭機能、酸化還元などの化学反応を利用した科学的抗菌機能等を施したシートを弁体本体４２の内側面に付設できる。
【００３９】
［排泄袋］
排泄袋５０は、図５及び図６に示すように、排泄袋内側面５１と、排泄袋外側面５２と、排泄袋内側面５１の上縁部近傍に設けられた排泄袋開口５３と、より構成されている。排泄袋内側面５１の周縁部は、排泄袋外側面５２の周縁部と溶着されている。これにより、排泄袋５０は、排泄袋開口５３による一つの開口を備えた袋体を形成する。
【００４０】
排泄袋内側面５１と排泄袋外側面５２とは、防水性と耐久性に優れた樹脂素材の袋を採用している。具体的には、ポリエチレン製の袋を採用している。
【００４１】
排泄袋開口５３は、おむつ本体１０に設けられた排泄用窓１４と同形状に形成されている。すなわち、本発明にかかるペット用おむつ構造１では、おむつ本体１０が備える排泄用窓１４と、枠体３０が備える開口３１と、排泄袋５０が備える排泄袋開口５３とは、同形状に連通して形成されている。
【００４２】
［尻尾連結手段］
尻尾連結手段６０は、図３に示すように、排泄袋外側面５２に接着する接着部６１と、接着部６１を基端として２股に分かれた帯状部６２と、帯状部６２の左右両端に付設された連結部６３と、より構成される。
【００４３】
接着部６１は、図６に示すように、弁体本体４２および排泄袋外側面５２に対向する位置に設けられている。付設方法は、粘着・縫着・圧着等から自由に選択することができる。
【００４４】
帯状部６２は、左右長幅の布・樹脂・紐ゴム・或いはそれらの組み合わせで形成されている。帯状部６２の横幅は、ペットＰの尻尾Ｔを十分に包むことができる長さに形成する。帯状部６２の縦幅は、弁体本体４２の上下の幅に収まる長さに形成する。
【００４５】
連結部６３は、２股の帯状部６２を連結するものであれば自由に選択できる。具体的には、面ファスナーやボタンを選択することができる。連結部６３に代わり、帯状部６２を尻尾Ｔに結び付けて一体としてもよい。
【００４６】
連結部６３は、帯状部６２の全面に付設したり、帯状部６２の任意の位置に固定できる形状としてもよい。これにより、尻尾Ｔの毛の長さや量に影響を受けることなく、尻尾Ｔと排便装置２０の確実な連結が可能となる。
【００４７】
また、尻尾連結手段６０を設けたことにより、尻尾Ｔは、排便装置２０の外側に位置することとなる。これにより、尻尾Ｔは、排便１８が付着した肛門１１との接触を防ぐことができる。排便１８が付着しないことで、尻尾Ｔは、かぶれを防ぐことができる。
【００４８】
おむつ本体１０の構成と、排便装置２０の構成は以上の通りである。本発明にかかるペット用おむつ構造１の装着は以下の手順で行われる。ペットＰの両脚は、おむつ本体１０に設けられた脚挿入孔１７Ｌ・１７Ｒから抜き出される。そして、尻尾Ｔは、尻尾挿貫用の孔１３から引き出されつつ、尻尾連結手段６０を介して排便装置２０と連結される。最後に、おむつ本体１０は、おむつ連結手段１６に背中割れ部１５を閉じられる。
【００４９】
以下、ペット用おむつ構造１をペットＰに使用した際に、排便１８が排便装置２０に設けられた排泄袋５０内に収納される行程について説明する。
【００５０】
ペットＰには、図７に示すように、おむつ本体１０と排便装置２０とを備えたペット用おむつ構造１を装着させた。装着は、尻尾Ｔがおむつ本体１０の尻尾挿貫用の孔１３から抜き出され、排便装置２０の尻尾連結手段６０によって固定されることによって完了する。おむつ本体１０は、小便を吸収できる機能を備えている。排便装置２０は、大便を収容する機能を備えている。
【００５１】
ペットＰは、図８に示すように、排便の際に、尻尾Ｔを緊張状態で上方或いは水平方向に突き立てる。尻尾Ｔは、尻尾連結手段６０によって、排便袋５０が備える排泄袋外側面５２及び弁体４０が備える弁体本体４２と連結されている。この構成により、ペットＰが尻尾Ｔを上方へ突き立てる動きと連動し、排泄袋５０は外側から持ち上げられる。その結果、排泄袋５０内部の空間は可及的に広がり、排便１８は大きく開口した排便袋５０内に収納される。
【００５２】
排泄袋外側面５２の接着部６１近傍には、図９に示すように、袋開拡用補助シート５４を貼付することもできる。袋開拡用補助シート５４は、一定の強度と可撓性のある素材で形成され、片面に粘着性を備えた左右横長の帯状体である。
【００５３】
袋開拡用補助シート５４は、排泄袋外側面５２の一部、或いは排泄袋外側面５２の全面を肉厚に形成することに代えてもよい。
【００５４】
袋開拡用補助シート５４は、尻尾Ｔの動きに連動して、排泄袋外側面５２を大きく持ち上げる。そのため、排泄袋５０の内部空間を可及的に広く形成することができる。排泄袋５０の広い内部空間は、より確実な大便の収納を可能とする。
【００５５】
弁体本体４２は、排泄袋外側面５２の内壁と一体に固定されている。すなわち、排泄袋５０の膨らみによる膨出状態では弁体本体４２も付随して上方に変位して排便１８に干渉せず円滑な排便動作を行うことができると共に、排便終了時にはペットＰの習性で起立した尻尾Ｔが元の垂れた状態に戻ると弁体本体４２も排泄用窓１４や枠体３０の方向に閉塞して排泄用窓１４や枠体３０の空間を遮断しておむつ本体１０の内部に排便悪臭を遺漏することを防止することができる。
【００５６】
また、本発明の他の実施形態として、ペット用おむつ構造２は、尻部を包むおむつ本体１０の後面シート１２に排泄用窓１４と尻尾挿貫用の孔１３を開け、排泄用窓１４の外方周縁部には肛門部１１が枠体内に位置するように枠体３０を固定し、枠体３０には排泄袋開口５３縁部を内部連通状態に固定し排泄袋５０を枠体３０に連設し、枠体外上端縁３０ａには屈曲自在の弁体２０１下縁を折曲自在に連設し、弁体２０１は枠体３０を固定した排泄袋５０の内側面５１とは対面に位置する外側面５２に密着当接させると共に、排泄袋内側面５１の上下の幅員を排泄袋外側面５２の上下の幅員よりも長く構成し、弁体２０１が排泄袋外側面５２を上方に持上げることによって枠体３０と排泄袋５０の外側面５２との間に一定間隔のスペースを保持可能に構成したことを特徴ともしている。
【００５７】
具体的には、本実施形態におけるペット用おむつ構造２が具備する排便装置２００は、図１０に示すように、弁体２０１の下縁部を枠体３０の外側上縁部の略中央部に屈曲自在となるように連設して構成されている。
【００５８】
弁体２０１の縦横の寸法は、縦幅は１ｃｍ〜３ｃｍとし、横幅は４ｃｍ〜６ｃｍとし機能的には排泄袋５０の外側面５２を持ち上げて排泄袋５０の内部空間を拡張することによって、排泄された糞が枠体３０と対向する排泄袋外側面５２の部分に付着することなく排泄袋５０の底部５５へと落下収納できれるものであればよい。
【００５９】
したがって、このような排便装置２００を備えたペット用おむつ構造２であれば、枠体外上端縁３０ａには屈曲自在の弁体２０１下縁を折曲自在に連設し、弁体２０１は枠体３０を連接した排泄袋５０の内側面５１とは対面に位置する外側面５２に密着当接させているため、ペットＰの尻尾Ｔと弁体２０１とを係合する必要がないため、ペット用おむつ構造２の着用時のペットストレスを可及的に軽減するとともに、ペットＰへの着脱が容易となり、且つ排泄袋５０に尻尾挿通孔も必要ないためこの孔からの袋破損の虞を防ぐ効果がある。
【００６０】
また本実施形態では、排泄袋内側面５１の上下の幅員を排泄袋外側面５２の上下の幅員よりも長く構成している。すなわち、互いの周縁部を溶着した排泄袋内側面５１と排泄袋外側面５２における下側溶着面５６から排泄袋５０上部までの長さが内側と外側とで異なるように構成している。
【００６１】
具体的には、図１１に示すように、下側溶着面５６から枠体上縁部３０ａまでの内側面長さＴＩは、下側溶着面５６から弁体上縁部２０１ａまでの外側面長さＴＯよりも長くなるように構成している。内側面長さＴＩ＞外側面長さＴＯとすることにより、排泄袋５０は内側面５１が下方に膨出した状態とすることができる。
【００６２】
特に、弁体２０１は枠体３０を固定した排泄袋５０の内側面５１とは対面に位置する外側面５２に密着当接されているため、弁体２０１が排泄袋５０の内部空間を拡張する支柱として機能し、ペットＰの尻尾Ｔの動作に関わらず排泄袋５０の内部空間を拡張可能としている。
【００６３】
これにより、枠体３０と排泄袋外側面５２との間には、排泄用窓１４を介して排泄袋５０内へと投入された排便１８を排泄袋５０の底部５５に円滑に落下させるための十分なスペースを形成できる作用がある（図１２を参照。）。その結果、枠体３０と対面する排泄袋５０の外側面５２の内方を汚損させることがないため、排便１８がペットＰの肛門周りを汚す虞がなく、おむつ着用時の衛生環境を良好なものとする効果がある。
【００６４】
また、この効果をより高めるために、排泄袋外側面５２を上方に持上げて弁体２０１との接着位置を排泄袋外側面５２の中央にやや寄せてもよい。これにより、排泄袋５０の内側面長さＴＩと外側面長さＴＯとの差分を大きくすることができるため、内側面５１が下方への膨出をより大きくすることができる。
【符号の説明】
【００６５】
１  ペット用おむつ構造
２  ペット用おむつ構造
１０  おむつ本体
１１  肛門
１２  後面シート
１３  尻尾挿貫用の孔
１４  排泄用窓
１５  背中割れ部
１６  おむつ連結手段
１６ａ  面ファスナー
１７Ｌ  左脚挿入孔
１７Ｒ  右脚挿入孔
１８  排便
２０  排便装置
３０  枠体
３０ａ  枠体上縁部
３１  開口
３２  板体
３３  尻尾当接部
４０  弁体
４１  折り曲げ部
４２  弁体本体
５０  排泄袋
５１  排泄袋内側面
５２  排泄袋外側面
５３  排泄袋開口
５４  袋開拡用補助シート
５５  底部
５６  下側溶着面
６０  尻尾連結手段
６１  接着部
６２  帯状部
６３  連結部
２００  排便装置
２０１  弁体
２０１ａ  弁体上縁部
ＴＩ  内側面長さ
ＴＯ  外側面長さ
【図１】
2022000012.tif 000003
【図２】
2022000012.tif 000004
【図３】
2022000012.tif 000005
【図４】
2022000012.tif 000006
【図５】
2022000012.tif 000007
【図６】
2022000012.tif 000008
【図７】
2022000012.tif 000009
【図８】
2022000012.tif 000010
【図９】
2022000012.tif 000011
【図１０】
2022000012.tif 000012
【図１１】
2022000012.tif 000013
【図１２】
2022000012.tif 000014